(57)【要約】【課題】本発明は、ボールを打った時にヘッドからシャフトに伝わる振動を吸収緩和することができ、快適な打球感が得られるマレットゴルフ用スティックを得ることにある。【解決手段】マレットゴルフ用スティック(1)は、グリップ(4)を有するシャフト(2)と、筒状の金属製ヘッド(3)とを備えている。ヘッド(3)は、シャフト(2)のグリップ(4)とは反対側の先端部(2a)に取り付けられており、ボール(8)を打つ打撃面(11)の背後に中空部(5)を有している。ヘッド(3)の中空部(5)に、シャフト(2)の先端部(2a)がヘッド(3)の軸線と交差する方向に沿って差し込み固定される筒状の金属製シャフトサポート(13)が固定されている。シャフト(2)の先端部(2a)とシャフトサポート(13)との間に、シャフトサポート(13)よりも軟質な弾性材(22)が介在されている。【選択図】      図３
2008212220.tif 000002
【特許請求の範囲】
【請求項１】
グリップを有するシャフトと、
上記シャフトのグリップとは反対側の先端部に設けられ、ボールを打つ打撃面の背後に中空部を有する筒状の金属製ヘッドと、
上記ヘッドの軸線と交差する方向に沿って上記ヘッドの中空部に固定され、上記シャフトの先端部が差し込み固定される筒状の金属製シャフトサポートと、を具備し、
上記シャフトの先端部と上記シャフトサポートとの間に、上記シャフトサポートよりも軟質な弾性材を介在させたことを特徴とするマレットゴルフ用スティック。
【請求項２】
請求項１の記載において、上記ヘッドの中空部は、上記シャフトサポートが貫通する第１の支持部と、上記シャフトサポートの下端部を受ける第２の支持部とを有し、上記第１および第２の支持部は、夫々上記ヘッドに対する上記シャフトサポートの取り付け位置を固定的に定めるとともに、上記シャフトサポートに対する上記第２の支持部の固定強度は、上記シャフトサポートに対する上記第１の支持部の固定強度よりも小さいことを特徴とするマレットゴルフ用スティック。
【請求項３】
請求項２の記載において、上記ヘッドの第２の支持部と上記シャフトサポートの下端部との間に、上記ヘッドおよび上記シャフトサポートよりも軟質な充填材を介在させたことを特徴とするマレットゴルフ用スティック。
【請求項４】
請求項１ないし請求項３のいずれかの記載において、上記ヘッドの中空部は、上記シャフトサポートよりも上記打撃面側に位置する第１の空洞領域と、上記シャフトサポートよりも上記打撃面とは反対側に位置する第２の空洞領域とを有し、上記第１の空洞領域は、上記第２の空洞領域よりも広く形成されているとともに、上記ヘッドは、上記中空部の第２の空洞領域の背後に上記打撃面から遠ざかる方向に突出する中実部を有することを特徴とするマレットゴルフ用スティック。
【請求項５】
グリップを有するシャフトと、
上記シャフトのグリップとは反対側の先端部に設けられ、ボールを打つ打撃面の背後に中空部を有する筒状の金属製ヘッドと、
上記ヘッドの軸線と交差する方向に沿って上記ヘッドの中空部に固定され、上記シャフトの先端部が差し込み固定される筒状の金属製シャフトサポートと、
上記シャフトの先端部と上記シャフトサポートとの間に介在され、上記シャフトサポートよりも軟質な弾性材と、を具備するマレットゴルフ用スティックであって、
上記ヘッドの中空部は、上記シャフトサポートよりも上記打撃面側に位置する第１の空洞領域と、上記シャフトサポートよりも上記打撃面とは反対側に位置する第２の空洞領域とを有し、上記第１の空洞領域は上記第２の空洞領域よりも広く形成されているとともに、上記ヘッドは、上記中空部の第２の空洞領域の背後に上記打撃面から遠ざかる方向に突出する中実部を有することを特徴とするマレットゴルフ用スティック。
【請求項６】
請求項５の記載において、上記ヘッドの中実部は、上記打撃面から遠ざかるに従い先細り状に縮径されていることを特徴とするマレットゴルフ用スティック。
【発明の詳細な説明】
【技術分野】
【０００１】
本発明は、マレットゴルフ用のスティックに係り、特にシャフトの先端部にボールを打つヘッドを固定するための構造に関する。
【背景技術】
【０００２】
ゲートボールにゴルフのルールを付加したマレットゴルフは、手軽に適度な運動量を得られるスポーツとして注目されている。この種のマレットゴルフで使用するスティックは、例えば特許文献１に開示されているように、手元側の端部にグリップを有するシャフトと、このシャフトの先端部に位置する金属製のヘッドとを備えている。
【０００３】
ヘッドは、シャフトの軸線と直交するような中空の円筒状をなしている。ヘッドは、その軸方向に沿う一端にボールを打つ打撃面を有し、この打撃面の背後に中空部が位置している。
【０００４】
このようなヘッドは、金属製のシャフトサポートを介してシャフトの先端部に固定されている。シャフトサポートは、中空の円筒状をなしており、ヘッドの中空部に対し圧入等の手段により強固に固定されている。シャフトの先端部は、シャフトサポートの内側に挿入されるとともに、接着剤を介してシャフトサポートに抜け止め固定されている。
【特許文献１】特開２００１−４６５７０号公報
【発明の開示】
【発明が解決しようとする課題】
【０００５】
特許文献１に開示されたスティックでは、シャフトサポートとヘッドとが互いに別の部品で構成されるために、これら両者の固定部分に寸法公差が作用するのを避けられない。このため、製品によってはシャフトサポートとヘッドとの間の固定部分に僅かな隙間が生じることがあり得る。
【０００６】
したがって、ボールを打った時の衝撃がヘッドからシャフトサポートに伝わった時に、シャフトサポートが共振を起こし、このシャフトサポートの振動が直接シャフトに伝わるといった問題が生じてくる。
【０００７】
しかも、シャフトサポートおよびヘッドは、共に衝撃を吸収し難い中空の金属製であることから、ボールを打った時にヘッドからシャフトを介して手に伝わる細かな振動が益々増幅される傾向にある。
【０００８】
この結果、従来のスティックでは、ボールを打った時に手が痺れる等の不快感を伴うことが多く、快適な打球感を得たいとする要求を満たす上で今一歩改善の余地が残されている。
【０００９】
本発明の目的は、ヘッドでボールを打った時に、ヘッドからシャフトに伝わる振動を吸収緩和することができ、快適な打球感が得られるマレットゴルフ用スティックを得ることにある。
【課題を解決するための手段】
【００１０】
上記目的を達成するため、本発明の一つの形態に係るマレットゴルフ用スティックは、  
グリップを有するシャフトと、  
上記シャフトのグリップとは反対側の先端部に取り付けられ、ボールを打つ打撃面の背後に中空部を有する筒状の金属製ヘッドと、  
上記ヘッドの軸線と交差する方向に沿って上記ヘッドの中空部に固定され、上記シャフトの先端部が差し込み固定される筒状の金属製シャフトサポートと、を備えており、  
上記シャフトの先端部と上記シャフトサポートとの間に、上記シャフトサポートよりも軟質な弾性材を介在させたことを特徴としている。
【発明の効果】
【００１１】
本発明によれば、ボールを打った時の衝撃に伴う振動がヘッドからシャフトサポートに伝わった場合、この振動は、シャフトに伝わる以前に弾性材によって吸収緩和される。このため、シャフトサポートやヘッドが振動を吸収し難い中空の金属製であるにも拘らず、ヘッドからシャフトに伝わろうとする細かな振動を積極的に軽減することができ、快適な打球感を得ることができる。
【発明を実施するための最良の形態】
【００１２】
以下本発明の第１の実施の形態を、図１ないし図５に基づいて説明する。
【００１３】
図１および図２は、マレットゴルフ用のスティック１を開示している。このスティック１は、シャフト２とヘッド３とを備えている。
【００１４】
シャフト２は、例えばカーボン繊維強化樹脂、スチール又はアルミニウム合金等によって形成されており、その手元側の端部に所定の長さのグリップ４が設けられている。ヘッド３は、例えばアルミニウム合金、チタンあるいはステンレスのような金属材料によって中空の円筒状に形成されており、シャフト２のグリップ４とは反対側の先端部２ａに位置している。
【００１５】
図３に示すように、ヘッド３は、中空部５と、この中空部５の背後に位置する中実部６とを一体に有している。中空部５および中実部６は、ヘッド３の軸線Ｏ１に沿って略同軸状に並んでいる。ヘッド３の軸線Ｏ１は、シャフト２の軸線Ｏ２と直交している。
【００１６】
中空部５は、空洞７を有している。空洞７は、ヘッド３の軸線Ｏ１と同軸状の穴によって規定されている。空洞７の一端は中空部５の前端に開口するとともに、他端は中実部６によって閉じられている。
【００１７】
中空部５の前端開口は、ボール８を打つ打撃部材９により閉塞されている。打撃部材９は、例えばチタン合金、ステンレス鋼あるいはアルミニウム合金等の金属材料によって形成されており、この金属材料の種類は、例えばボール８に対する反発性等を考慮して任意に選択することができる。
【００１８】
打撃部材９は、小径部１０ａと大径部１０ｂとを備えている。小径部１０ａは、中空部５の前端開口の内側にねじ込まれて、空洞７の一端を閉じている。大径部１０ｂは、中空部５と同等の外径を有する円盤状をなしており、中空部５の外周面に連続するように中空部５の前端開口から突出している。大径部１０ｂは、ボール８に接する打撃面１１を有している。打撃面１１は、ヘッド３の軸線Ｏ１と直交する垂直な平面となっている。
【００１９】
中実部６は、中空部５に対し打撃面１１から遠ざかる方向に突出している。中実部６は、中空部５の後方に進むに従い先細り状に縮径されており、その後端面６ａは、シャフト２の軸線Ｏ２に対し下方に進むに従い前向きに傾斜している。
【００２０】
なお、中実部６の後端の形状は、上記のように傾斜した面状に形成する必要はなく、例えば先細り状に尖らせたり、半球状に形成してもよい。
【００２１】
図３に示すように、シャフト２の先端部２ａは、シャフトサポート１３を介してヘッド３の中空部５に固定されている。シャフトサポート１３は、例えばアルミニウム合金のような金属材料で形成されており、上記シャフト２よりも大径な中空の円筒状をなしている。
【００２２】
シャフトサポート１３は、シャフト２が差し込まれる挿入孔１４と、中実の下端部１５とを有している。挿入孔１４は、シャフトサポート１３の上端に開口するとともに、シャフト２の外径よりも大きな内径を有している。中実な下端部１５は、挿入孔１４の下端を閉じている。下端部１５の下面１５ａは、シャフト２の軸線Ｏ２と直交する平面となっている。
【００２３】
さらに、シャフトサポート１３は、その軸方向に沿う中間部に大径部１６と雄ねじ部１７とを有している。大径部１６に対応する位置では、シャフトサポート１３の肉厚が厚くなっている。雄ねじ部１７は、大径部１６よりもシャフトサポート１３の下端部１５の方向にずれた位置に形成されている。
【００２４】
シャフトサポート１３は、ヘッド３の軸線Ｏ１と直交する姿勢で上記中空部５の空洞７を貫通している。空洞７の上端を規定する中空部５の上面部に、ねじ孔１８が形成されている。ねじ孔１８は、中空部５に対するシャフトサポート１３の取り付け位置を固定的に定める第１の支持部の一例であり、中空部５の外周面および空洞７に開口している。さらに、ねじ孔１８のうち中空部５の外周面に開口する端部にさぐり部１８ａが形成されている。ざぐり部１８ａは、ねじ孔１８の中心線に対して直角となるざぐり面を有している。
【００２５】
空洞７の下端を規定する中空部５の下面部に、円形の凹部１９が形成されている。凹部１９は、中空部５に対するシャフトサポート１３の取り付け位置を固定的に定める第２の支持部の一例であり、空洞７を間に挟んでねじ孔１８と同軸状に向かい合っている。凹部１９は、シャフトサポート１３よりも大きな内径を有するとともに、中空部５の外周面に開口することなく空洞７のみに開口している。
【００２６】
そのため、凹部１９は、シャフトサポート１３の下端部１５を受け止める平坦な底面１９ａと、シャフトサポート１３の下端部１５を取り囲む内周面１９ｂとを有している。
【００２７】
図３に示すように、シャフトサポート１３は、中空部５の上方からねじ孔１８に挿入され、このシャフトサポート１３の雄ねじ部１７がねじ孔１８にねじ込まれている。このねじ込みにより、シャフトサポート１３の大径部１６の端面がざぐり部１８ａのざぐり面に突き当たるとともに、シャフトサポート１３の下端部１５が中空部５の凹部１９に嵌め込まれている。
【００２８】
シャフトサポート１３の下端部１５は、凹部１９から空洞７の内側に突出している。これにより、下端部１５によって規定される挿入孔１４の底が凹部１９から遠ざかり、シャフトサポート１３のうち凹部１９に嵌合される部分は、中実な下端部１５のみとなる。よって、凹部１９とシャフトサポート１３の下端部１５との間の取り付け強度を充分に確保できる。
【００２９】
さらに、本実施の形態では、図４に最もよく示されるように、中空部５の凹部１９とシャフトサポート１３の下端部１５との間に接着剤２０が充填されている。接着剤２０は、凹部１９の底面１９ａと下端部１５の下面１５ａおよび凹部１９の内周面１９ｂと下端部１５の外周面との間に介在されて、シャフトサポート１３の下端部１５を凹部１９に対し強固に固着している。
【００３０】
このことから、シャフトサポート１３は、その軸方向に沿う中間部が中空部５に直接ねじ止めされているとともに、下端部１５が中空部５に接着されている。この場合、中空部５の凹部１９とシャフトサポート１３の下端部１５との間に充填された接着剤２０は、シャフトサポート１３や中空部５よりも軟質な充填材として機能する。
【００３１】
よって、シャフトサポート１３の下端部１５と中空部５との間の固定強度は、シャフトサポート１３の雄ねじ部１７と中空部５との間の固定強度よりも小さくなっている。言い換えると、接着剤２０は、シャフトサポート１３の下端部１５を中空部５に対してある程度の柔軟性を持たせて間接的に支えている。
【００３２】
図３に示すように、シャフト２の先端部２ａの下面は、シャフトサポート１３の挿入孔１４に差し込まれて、挿入孔１４の底となる下端部１５に突き当たっている。このシャフト２の先端部２ａと凹部１９の底面１９ａとの間には、シャフトサポート１３の中実な下端部１５が位置している。そのため、シャフト２の先端部２ａの下面は、シャフトサポート１３の下端部１５の長さに対応する距離ｄだけ凹部１９の底面１９ａから離れている。距離ｄは、例えば５mm以上、特に１０mm以上とすることが望ましい。
【００３３】
さらに、シャフト２の先端部２ａとシャフトサポート１３の挿入孔１４との間に円筒状のカラー２２が介在されている。カラー２２は弾性材の一例であって、シャフトサポート１３よりも軟質な低弾性を有する合成樹脂材料あるいは硬質ゴムによって形成されている。
【００３４】
カラー２２は、挿入孔１４の全長に亘って延びている。カラー２２は、シャフト２の先端部２ａの外周面および挿入孔１４の内周面に例えば接着等の手段により固着されて、シャフト２の先端部２ａと挿入孔１４との間を隙間なく埋めている。このため、カラー２２は、シャフトサポート１３からシャフト２に伝わる振動を吸収緩和するように、シャフト２をシャフトサポート１３に対し弾性的に保持している。
【００３５】
カラー２２の上端部２３は、挿入孔１４からシャフトサポート１３の外に突出している。カラー２２の上端部２３の外周面は、シャフトサポート１３の外周面とシャフト２の外周面との間を滑らかに結ぶように、シャフトサポート１３からグリップ４の方向に進むに従い先細り状に傾斜している。この傾斜により、シャフトサポート１３とシャフト２との境界部分に段差が生じるのを防いでいる。
【００３６】
図５は、ヘッド３の各部の寸法関係の一例を開示している。図５に示すように、ヘッド３は、その前端の直径Ｄが４９．５mmであり、全長Ｌが１５０mmと規定されている。さらに、ねじ孔１８および凹部１９の中心を通るシャフト２の軸線Ｏ２からヘッド３の後端までの長さをＬ１、ねじ孔１８および凹部１９の中心を通るシャフト２の軸線Ｏ２からヘッド３の前端に位置する打撃面１１までの長さをＬ２、シャフト２の軸線Ｏ２から空洞７の終端までの長さをＬ３、空洞７の終端からヘッド３の後端までの長さをＬ４とした時、例えばＬ１は９０mm、Ｌ２は８４mm、Ｌ３は２４mm、Ｌ４は６６mmと規定されている。このため、ヘッド３に対するシャフト２の固定位置は、ヘッド３の軸方向に沿う中間点よりも打撃面１１の方向にずれている。
【００３７】
さらに、シャフトサポート１３は、中空部５の内側の空洞７をヘッド３の軸線Ｏ１と直交する方向に沿って貫通している。そのため、図３に示すように、空洞７は、シャフトサポート１３よりも打撃面１１の側に位置する第１の空洞領域７ａと、シャフトサポート１３よりも打撃面１１とは反対側に位置する第２の空洞領域７ｂとに分けることができる。
【００３８】
この場合、シャフトサポート１３は、中空部５に対し打撃部材９よりも中実部６の方向にずれているので、第１の空洞領域７ａの方が第２の空洞領域７ｂよりも広く形成されている。
【００３９】
よって、ヘッド３のうちシャフト２の軸線Ｏ２よりも後方に位置する部分は、その全長９０mmのうち６６mmが中実部６となっており、この中実部６の占有率が略７３％に達している。
【００４０】
ヘッド３に対する中実部６が占める割合（長さ）は、ヘッド３の振動対策のことを考慮すると、５０％以上とすることが望ましく、好ましくは６０％以上、より好ましくは７０％以上とするとよい。
【００４１】
このような本発明の第１の実施の形態によると、ヘッド２の中空部５に固定されたシャフトサポート１３とシャフト２との間に、シャフトサポート１３よりも軟質な低弾性を有するカラー２２を介在させている。このため、ゴルフプレーヤがスティック１をスイングしてヘッド３の打撃面１１でボール８を打った時に、その衝撃に伴う振動がヘッド３の中空部５からシャフトサポート１３に伝わった場合、この振動は、シャフト２に伝わる以前にカラー２２によって吸収緩和される。
【００４２】
それとともに、第１の実施の形態では、シャフトサポート１３の軸方向に沿う中間部は中空部５のねじ孔１８に直接ねじ止めされているが、下端部１５は接着剤２０を介して凹部１９に嵌合されている。接着剤２０は、シャフトサポート１３の下端部１５をある程度の柔軟性を持たせて間接的に支えているので、この接着剤２０が中空部５からシャフトサポート１３の下端部１５に伝わろうとする振動を吸収する。このため、シャフトサポート１３の下端部１５にヘッド３の振動が伝わり難くなる。
【００４３】
加えて、シャフトサポート１３に固定されたシャフト２の先端部２ａの下面は、シャフトサポート１３の下端部１５の長さに相当する距離ｄだけ凹部１９の底面１９ａから離れている。これにより、ボール８を打った時のヘッド３の振動が直接シャフト２に伝わり難くなる。
【００４４】
この結果、シャフトサポート１３やヘッド３が振動を吸収し難い中空の金属製であるにも拘らず、ヘッド３からシャフトサポート１３を介してシャフト２のグリップ４に伝わろうとする細かな振動を効率良く軽減できる。したがって、ボール８を打った時の不快感を抑制することができ、快適な打球感を得ることができる。
【００４５】
さらに、本実施の形態によると、中空部５の内側の空洞７は、中空部５に固定されたシャフトサポート１３を境として打撃部材９に連なる第１の空洞領域７ａと、中実部６に連なる第２の空洞領域７ｂとに分けられており、第１の空洞領域７ａの方が第２の空洞領域７ｂよりも広くなっている。これにより、ヘッド３のうちシャフト２の軸線Ｏ２よりも後方に位置する部分において中実部６の占有率が略７３％と高まる。この結果、シャフト２の前と後でヘッド３の重量配分を異ならせて、ヘッド３の前部に比較して後部の質量を多くしている。
【００４６】
この結果、ヘッド３でボール８を打った時に、ヘッド３のうちシャフト２よりも前側の部分で発生した振動が、シャフト２の前と後でのヘッド３の質量差に基づく質量効果により減衰される。それとともに、シャフト２の位置を基準としてヘッド３の内部の空間割合が相違するので、この空間割合の相違によってヘッド３の振動をより確実に抑えることができる。
【００４７】
このため、ボール８を打った時の衝撃に伴うヘッド３自体の振動を早期のうちに収拾することができる。よって、ヘッド３からシャフトサポート１３に加わる振動が抑制され、シャフト２に伝わる振動を軽減する上でより有効に寄与するといった利点がある。
【００４８】
なお、本発明は上記第１の実施の形態に特定されるものではなく、発明の主旨を逸脱しない範囲内で種々変更して実施可能である。
【００４９】
例えば、図６および図７は、本発明の第２の実施の形態を開示している。
【００５０】
この第２の実施の形態は、ヘッド３に対するシャフトサポート１３の下端部１５の固定の仕方が上記第１の実施の形態と相違しており、それ以外のヘッド３の構成は第１の実施の形態と同様である。そのため、第２の実施の形態において、第１の実施の形態と同一の構成部分には、同一の参照符号を付してその説明を省略する。
【００５１】
図６および図７示すように、シャフトサポート１３の下端部１５は、中空部５の下面部に位置する凹部１９に挿入されている。凹部１９は、シャフトサポートの下端部１５よりも一回り大径に形成され、この凹部１９の内面とシャフトサポート１３の下端部１５との間に充填材３０が介在されている。充填材３０は、例えばシャフトサポート１３よりも軟質な低弾性を有する合成樹脂材料あるいは硬質ゴムによって形成されている。
【００５２】
充填材３０は、凹部１９の底面１９ａと下端部１５の下面１５ａおよび凹部１９の内周面１９ｂと下端部１５の外周面との間に隙間なく介在されており、シャフトサポート１３の下端部１５をある程度の柔軟性を持たせて間接的に支えている。
【００５３】
このような構成によると、充填材３０によってヘッド３の中空部５からシャフトサポート１３の下端部１５に伝わろうとする振動を吸収することができる。このため、シャフトサポート１３の下端部１５にヘッド３の振動が直に伝わり難くなり、その分、シャフトサポート１３の共振を抑えて、ボール８を打った時にシャフト２のグリップ４に伝わる細かな振動を効率良く軽減することができる。
【００５４】
図８および図９は、本発明の第３の実施の形態を開示している。
【００５５】
この第３の実施の形態は、シャフトサポート１３の下端部１５の構成およびヘッド３に対するシャフトサポート１３の下端部１５の固定の仕方が上記第１の実施の形態と相違しており、それ以外のヘッド３の構成は第１の実施の形態と同様である。そのため、第３の実施の形態において、第１の実施の形態と同一の構成部分には、同一の参照符号を付してその説明を省略する。
【００５６】
図８および図９に示すように、シャフトサポート１３の下端部１５は、通孔４０を有している。通孔４０は、シャフトサポート１３に対し同軸状に形成されている。通孔４０は、シャフト２が差し込まれる挿入孔１４よりも小径であり、その分、下端部１５の肉厚が充分に確保されている。さらに、通孔４０は挿入孔１４に同軸状に連通するとともに、シャフトサポート１３の平坦な下面１５ａに開口している。
【００５７】
シャフトサポート１３の下端部１５は、中空部５の下面部に位置する凹部１９に挿入されている。凹部１９は、シャフトサポート１３の下端部１５よりも一回り大径に形成されている。シャフトサポート１３の下端部１５の下面１５ａは、凹部１９の底面１９ａに突き当たっている。このシャフトサポート１３の下面１５ａからシャフト２の先端部２ａの下面までの距離ｄは、５mm以上、特に１０mm以上とすることが好ましい。
【００５８】
凹部１９の内周面１９ｂとシャフトサポート１３の下端部１５の外周面との間に充填材４１が隙間なく介在されている。充填材４１は、例えばシャフトサポート１３よりも軟質な低弾性を有する合成樹脂材料あるいは硬質ゴムによって形成されている。充填材４１は、シャフトサポート１３の下端部１５を同軸状に取り囲むことで、シャフトサポート１３の下端部１５をある程度の柔軟性を持たせて間接的に支えている。
【００５９】
このような構成によれば、充填材４１によってヘッド３の中空部５からシャフトサポート１３の下端部１５に伝わろうとする振動を吸収することができ、シャフトサポート１３の共振を抑制できる。しかも、シャフトサポート１３に固定されたシャフト２の下面は、中空部５の凹部１９に接するシャフトサポート１３の下面１５ａから距離ｄだけ離れているので、ヘッド３の振動が直接シャフト２に伝わり難くなる。
【００６０】
よって、ボール８を打った時にシャフト２のグリップ４に伝わる細かな振動を効率良く軽減でき、不快感を緩和することができる。
【００６１】
なお、上記第１の実施の形態では、シャフトサポートの雄ねじ部をヘッドのねじ孔に直にねじ込むようにしたが、例えばねじ孔に接着剤を塗布してねじ込みと接着とを併用してもよい。
【００６２】
さらに、ヘッドの形状にしても上記第１の実施の形態に特定されるものではなく、例えばヘッドを外径が略一定の円筒状に形成して、その軸方向に沿う一端および他端に夫々ボールを打つ打撃面を設けてもよい。よって、ヘッドは任意な形状とすることができる。
【図面の簡単な説明】
【００６３】
【図１】本発明の第１の実施の形態に係るマレットゴルフ用スティックの側面図。
【図２】本発明の第１の実施の形態に係るマレットゴルフ用スティックの正面図。
【図３】本発明の第１の実施の形態において、シャフトとヘッドとの固定部分の構造を示す断面図。
【図４】本発明の第１の実施の形態において、シャフトサポートの下端部とヘッドとの固定部分の構造を示す断面図。
【図５】本発明の第１の実施の形態において、ヘッドの各部の寸法関係を示す断面図。
【図６】本発明の第２の実施の形態に係るマレットゴルフ用スティックのヘッドの断面図。
【図７】本発明の第２の実施の形態において、シャフトサポートの下端部とヘッドとの固定部分の構造を示す断面図。
【図８】本発明の第３の実施の形態に係るマレットゴルフ用スティックのヘッドの断面図。
【図９】本発明の第３の実施の形態において、シャフトサポートの下端部とヘッドとの固定部分の構造を示す断面図。
【符号の説明】
【００６４】
２…シャフト、２ａ…先端部、３…ヘッド、４…グリップ、５…中空部、８…ボール、１１…打撃面、１３…シャフトサポート、２２…弾性材（カラー）。
【図１】
2008212220.tif 000003
【図２】
2008212220.tif 000004
【図３】
2008212220.tif 000005
【図４】
2008212220.tif 000006
【図５】
2008212220.tif 000007
【図６】
2008212220.tif 000008
【図７】
2008212220.tif 000009
【図８】
2008212220.tif 000010
【図９】
2008212220.tif 000011